(57)【要約】【課題】簡単な構造で外箱と内箱との間に内箱から離してリード線を配線することができ、また、外箱と内箱との間に円滑に隅々まで断熱材を充填することのできる冷凍冷蔵庫を提供する。【解決手段】外箱２と内箱３との間に断熱材４が充填され、前面側が開口されて内部に複数の室が設けられた断熱箱体及びこの断熱箱体の前面開口部を開閉する扉を有し、断熱箱体の下部に設けた電装基板２３に接続され、複数の室の電気部品のコネクタにそれぞれ接続されると共に、天井５に設けた天井部電装箱２４のコネクタに接続されるリード線２５を設け、このリード線２５を、外箱２の側板６の背面側に設けたリード線収容部６ｃに収容して配線した。【選択図】図２
2011052880.tif 000002
【特許請求の範囲】
【請求項１】
外箱と内箱との間に断熱材が充填され、前面側が開口されて内部に複数の室が設けられた断熱箱体及び該断熱箱体の前面開口部を開閉する扉を有し、
前記断熱箱体の下部に設けた電装基板に接続され、前記複数の室の電気部品のコネクタにそれぞれ接続されると共に、天井に設けた天井部電装箱のコネクタに接続されるリード線を設け、
該リード線を、前記外箱の側板の背面側に設けたリード線収容部に収容して配線したことを特徴とする冷凍冷蔵庫。
【請求項２】
前記リード線収容部を、前記断熱箱体の外箱の両側板の背面側を外側から内側に折曲げたのち前面側に向って折曲げてＵ字状の折曲げ部を設け、該Ｕ字状の折曲げ部で形成された空間部によって構成したことを特徴とする請求項１記載の冷凍冷蔵庫。
【請求項３】
前記リード線収容部を、前記断熱箱体の外箱の両側板の背面側を外側から内側に折曲げたのち前面側に向ってＵ字状に折曲げ、さらに背面側に向って逆Ｕ字状に折返して前記Ｕ字状の折曲げ部との間に背面板の挾持部を設け、前記Ｕ字状の折曲げ部によって形成された空間部によって構成したことを特徴とする請求項１記載の冷凍冷蔵庫。
【請求項４】
前記電装基板に接続されたリード線を前記リード線収容部に導いて、該リード線を前記複数の室の電気部品のコネクタにそれぞれ接続すると共に、天井部電装箱のコネクタに接続し、前記両側板の背面側の背面板を取付けて、該背面板に設けた断熱材注入口から前記リード線収容部を含む外箱と内箱との間に断熱材を充填したことを特徴とする請求項１〜３のいずれかに記載の冷凍冷蔵庫。
【発明の詳細な説明】
【技術分野】
【０００１】
本発明は、冷凍冷蔵庫に係り、より詳しくは、冷蔵庫本体の下部に配置した電装基板に接続されたリード線を、冷蔵庫本体に設けた各室の電気部品のコネクタに接続すると共に、天井に設けた電装箱のコネクタに接続するためのリード線の配線構造に関するものである。
【背景技術】
【０００２】
従来の冷蔵庫に、庫内電装部品のリード線を冷凍室の内箱から離間させて支持する支持部と、冷凍室の外箱側壁に設けられてこの側壁を加熱する加熱手段と、リード線の一部を外箱側壁後部に固定する固定手段とを備え、リード線を冷凍室の内箱から離間させると共に、外箱を加熱する加熱手段からリード線に熱を伝えて、リード線の結露発生を防止するようにしたものがある（例えば、特許文献１参照）。
【先行技術文献】
【特許文献】
【０００３】
【特許文献１】特開平５−２４０５６３号公報（第２−３頁、図１−３）
【発明の概要】
【発明が解決しようとする課題】
【０００４】
特許文献１の冷蔵庫においては、外箱と内箱との間に配線されたリード線に結露が発生するのを防止するために、支持部などの特別な部品を設けてリード線を内箱（低温部）から遠ざけたり、外箱を加熱する加熱手段からの熱をリード線に伝えたりしなければならないため、構造が複雑でコスト高になる。また、これらの部品は外箱と内箱の間に配設されるため、両者の間に充填する断熱材の流れの妨げになり、品質低下を招くおそれがあった。
【０００５】
さらに、リード線をテープで支持部に固定するようにしているが、断熱材の高温化によりテープが剥れ、リード線が内箱（低温部）に接近して結露が発生するおそれがあった。
【０００６】
本発明は、上記の課題を解決するためになされたもので、断熱箱体の下部に設けた電装基板に接続されたリード線を、特別な部品を用いることなく簡単な構造で、外箱と内箱との間において内箱（低温部）から離して上部まで配線することができ、また、外箱と内箱との間になんらの障害物もなく、両者の間に確実に断熱材を充填することのできる冷凍冷蔵庫を提供することを目的としたものである。
【課題を解決するための手段】
【０００７】
本発明に係る冷凍冷蔵庫は、外箱と内箱との間に断熱材が充填され、前面側が開口されて内部に複数の室が設けられた断熱箱体及び該断熱箱体の前面開口部を開閉する扉を有し、前記断熱箱体の下部に設けた電装基板に接続され、前記複数の室の電気部品のコネクタにそれぞれ接続されると共に、天井に設けた天井部電装箱のコネクタに接続されるリード線を設け、該リード線を、前記外箱の側板の背面側に設けたリード線収容部に収容して配線したものである。
【発明の効果】
【０００８】
本発明によれば、冷蔵庫本体の下部に設けた電装基板に接続されたリード線を、特別な部品を用いることなく簡単な構造で、外箱と内箱の間に内箱（低温部）から離して配線することにより、結露を生ずることなく上部まで導くことができ、また、外箱と内箱との間に障害物が存在しないため、両者の間に隅々まで断熱材を充填することができるので、信頼性の高い冷凍冷蔵庫を得ることができる。
【図面の簡単な説明】
【０００９】
【図１】本発明の一実施の形態に係る一部を断面で示した冷凍冷蔵庫の正面図である。
【図２】図１の背面斜視図である。
【図３】図２のＡ−Ａ断面拡大図である。
【発明を実施するための形態】
【００１０】
図１は本発明の一実施の形態に係る冷凍冷蔵庫の正面図、図２は図１の背面斜視図である。
冷凍冷蔵庫を構成する冷蔵庫本体１は、金属板からなる外箱２と、合成樹脂成形品からなる内箱３と、外箱２と内箱３との間に充填された断熱材４とにより、前面側が開口された断熱箱体が形成され、この断熱箱体の上下方向を複数の仕切り板で仕切って、上部から下部に向って、冷蔵室１１、製氷室１２、切換室１３、冷凍室１４及び野菜室１５が設けられている（以下、これらの各室を総称して各室と記すことがある）。
【００１１】
そして、冷蔵室１１の前面開口部には開閉式の扉１１ａが、また、その他の各室１２，１３，１４，１５の前面開口部には、引出し式の扉１２ａ，１３ａ，１４ａ，１５ａがそれぞれ設けられている。また、冷蔵庫本体１の外箱２の両側板６，６の内側には、結露防止用の放熱パイプ１０が組み込まれている。
【００１２】
また、冷蔵庫本体１の外箱２の両側板６，６の背面側の端部には、図３に示すように、外側から内側に折曲げたのち前面側に向ってＵ字状に折曲げてＵ字状折曲げ部６ａを形成し、ついで、背面側に向って逆Ｕ字状に折返して、Ｕ字状折曲げ部６ａとの間に挾持部６ｂが形成されている。なお、Ｕ字状折曲げ部６ａによって形成された空間部を、以下、リード線収容部６ｃという。
【００１３】
また、背面板７の両端部は、前面側に向ってほぼ直角に折曲げられて連結部７ａが形成されており、この連結部７ａを側板６の挾持部６ｂに嵌入することにより、背面板７が両側板６，６の背面側に一体に結合される。
【００１４】
冷蔵庫本体１の下部の背面側には、圧縮機など（図示せず）が設置され、背面カバー２１で覆われた機械室２０が設けられており、機械室２０の上部には、電装基板２３等を有する電装箱２２が設けられている。２４は冷蔵庫本体１の天井５に設けられて、冷蔵室１１の扉１１ａに設けた結露防止ヒータ（図示せず）に給電するためのコネクタ等を備えた天井部電装箱である。
【００１５】
電装基板２３に接続された複数本のリード線２５は、図３に示すように、冷蔵庫本体１の側板６に設けたリード線収容部６ｃに導かれ、図１、図２に示すように、リード線収容部６ｃに沿って上方に向って配線され、天井５に設けた天井部電装箱２４のコネクタに接続されると共に、その途中において、各室１１〜１５に設けた電気部品のコネクタ（図示せず）にそれぞれ接続される。
【００１６】
本発明においては、先ず、電装基板２３に接続された複数本のリード線２５をリード線収容部６ｃに収容し、各室１１〜１５の電気部品のコネクタ及び天井部電装箱２４のコネクタにそれぞれ接続したのち、背面板７をその連結部７ａを側板６の挾持部６ｂに嵌入して両側板６，６の背面に取付ける。ついで、背面板７に設けた断熱材注入口８から、外箱２と内箱３との間に流動状の断熱材４を注入し、充填する。
【００１７】
このとき、リード線２５は、図３に示すように、断熱材４によりリード線収容部６ｃの最奥部（背面側）に押し付けられ、断熱材４が固化することによりその位置に固定される。また、外箱２と内箱３との間には、特許文献１の発明のように支持部等の部品が存在しないので、断熱材４が円滑に流入されて隅々まで確実に充填することができる。なお、図３において、３ａは外箱２と内箱３との間に断熱材４を介して形成され、各室１１〜１５に冷気を供給するための冷気路である。
【００１８】
本発明によれば、リード線２５は内箱３（低温部）から離れたリード線収容部６ｃ内に収容されているので、結露が発生するおそれがなく、そのため、リード線２５を放熱パイプ１０で加熱する必要もない。
また、リード線２５は外箱２の側板６の背面側を曲げ加工して形成したリード線収容部６ｃ内に収容され、断熱材４で固定されているため、リード線２５を支持するための特別な部品やテープなどを必要としないので、構造が簡単でコストを低減することができる。
【００１９】
さらに、外箱２と内箱３との間に断熱材４を充填するにあたっては、断熱材４の流れを妨げるような部品等が存在しないので、断熱材４を隅々まで十分に行きわたらせることができ、これにより、信頼性の高い冷凍冷蔵庫を得ることができる。
【００２０】
上記の説明では、図示の冷凍冷蔵庫に本発明を実施した場合を示したが、これに限定するものではなく、他の構造の冷凍冷蔵庫にも本発明を実施することができる。
【符号の説明】
【００２１】
１  冷蔵庫本体、２  外箱、３  内箱、４  断熱材、５  天井、６  側板、６ａ  Ｕ字状折曲げ部、６ｂ  挾持部、６ｃ  リード線収容部、７  背面板、７ａ  連結部、８  断熱材注入口、１０  放熱パイプ、２０  機械室、２２  電装箱、２３  電装基板、２４  天井部電装箱、２５  リード線。
【図１】
2011052880.tif 000003
【図２】
2011052880.tif 000004
【図３】
2011052880.tif 000005